(57)【要約】      （修正有）【課題】施工業者に依頼することなく居住者が簡便に取り付けることができる洗濯排水流入口用の防臭装置を提供する。【解決手段】洗濯排水流入口用の防臭装置１は、全体として板状に拡がる床面固定部３と、板状の床面固定部の両側の面から突出し内側を洗濯排水用の流路が貫通する筒状の流路形成部２を有する。床面固定部は、板状に拡がるその端縁を帯状に一周して床面固定部の一方の面に直交する方向に突出する第１押圧部２１を備える。流路形成部は、第１押圧部が配された側で床面固定部から真っ直ぐに外方に伸びた挿入部１３と、床面固定部を挟んで挿入部の反対側に配され洗濯機の排水用ホースと連結可能なホース連結部１１を有する。第１押圧部の突出端２３が、挿入部の開口端よりも床面固定部側に位置する。【選択図】図１
2014077277.tif 000002
【特許請求の範囲】
【請求項１】
全体として板状に拡がる床面固定部と、
板状の前記床面固定部の両側の面から突出し内側を洗濯排水用の流路が貫通する筒状の流路形成部と、を有し、
前記床面固定部は、板状に拡がるその端縁を帯状に一周して前記床面固定部の一方の面に直交する方向に突出する第１押圧部を備え、
前記流路形成部は、
前記第１押圧部が配された側で前記床面固定部から真っ直ぐに外方に伸びた挿入部と、
前記床面固定部を挟んで前記挿入部の反対側に配され洗濯機の排水用ホースと連結可能なホース連結部と、を有し、
前記第１押圧部の突出端が、前記挿入部の開口端よりも前記床面固定部側に位置する
ことを特徴とする洗濯排水流入口用の防臭装置。
【請求項２】
前記ホース連結部が、前記床面固定部の近傍において、その軸心を前記挿入部の軸心に一致させかつ前記床面固定部に直交して伸びた
請求項１に記載の洗濯排水流入口用の防臭装置。
【請求項３】
前記第１押圧部は、その突出端近傍において前記突出端に近づくにつれて突出方向に直交する方向の寸法である厚さが小さくなった
請求項１または請求項２に記載の洗濯排水流入口用の防臭装置。
【請求項４】
前記床面固定部における前記ホース連結部が位置する側に、前記ホース連結部が伸びた方向に略直交する方向に貫通する固定用孔を有する連結維持部が設けられた
請求項２に記載の洗濯排水流入口用の防臭装置。
【発明の詳細な説明】
【技術分野】
【０００１】
本発明は、洗濯機からの洗濯排水の流入口からその下流側配管内の悪臭が洗面所等に進入することを防止する防臭装置に関する。
【背景技術】
【０００２】
住居用建物には、洗濯機からの排水を流入させる排水口（排水金具７１）が洗面所等の床面Ｆに設けられている。そして、図７に示されるように、洗濯機に付属する排水用ホース７２を排水金具７１に直接差し入れて、その下流側の排水管７３に洗濯排水を流出させる家庭も少なくない。（図７（ａ））。
ところで、洗濯排水は、それ自体が不快な悪臭を発するものではなく、特に築年数の経過した住宅では、洗濯機からの排水が流入する排水金具７１、排水管７３等には、台所の流し台および便器の排水管に施されるような臭気の遮断のための封水（水トラップ）が行われていなかった。しかし、排水金具７１に連結された排水管７３は、下流側で他の雑排水の排水管に連結されている。そのため、排水管７３の下流側の排水滞留部分等で洗濯排水、食品排水等の有機物の腐敗が生じ、その悪臭が排水管７３内を経由して排水用ホース７２と排水金具７１との隙間から洗面所等に進入し（図７（ｂ））、住人に不快感を与えることが問題となっていた。
【０００３】
これに対し、特許文献１、特許文献２には、床面に開口する排水口内に、封水機能を有する防臭装置（特許文献１：排水トラップ、特許文献２：排水排出ユニット）を設けて臭気の居住空間への逆流を防止することが提案されている。
【先行技術文献】
【特許文献】
【０００４】
【特許文献１】特開２００８−２５１０６号公報
【特許文献２】特開２００８−１１５５７７号公報
【発明の概要】
【発明が解決しようとする課題】
【０００５】
特許文献１および特許文献２に提案された防臭装置は、封水機能によって一定の防臭効果を期待することができる。このような特許文献１および特許文献２の防臭装置は、封水部分が流れの抵抗となることから、洗濯機から一気に多量に流れ出る洗濯排水を円滑に通過させるために、封水部分の断面積をある程度大きなものとしている。
しかし、建築時に特許文献１，２に提案された排水トラップ等の取り付けが排水口になされていない、例えば築年数の経過した住宅に排水トラップ等を設けようとする場合には、排水金具７１およびこれに連結された排水管７３を取り換える必要が有る。この取り換え作業は、排水金具７１が床下の排水管７３に接着されてこれらを容易に取り外すことができず、かつ取り換え作業の範囲は床上だけでなく床面下にまで及び、不慣れな作業による排水漏れ等の発生を懸念すると、居住者がこれらの防臭装置を設置することが容易ではないという問題がある。
【０００６】
本発明は、上述の問題に鑑みてなされたもので、施工業者に依頼することなく居住者が簡便に取り付けることができる洗濯排水流入口用の防臭装置を提供することを目的とする。
【課題を解決するための手段】
【０００７】
本発明に係る洗濯排水流入口用の防臭装置は、全体として板状に拡がる床面固定部と、板状の床面固定部の両側の面から突出し内側を洗濯排水用の流路が貫通する筒状の流路形成部と、を有する。床面固定部は、板状に拡がるその端縁を帯状に一周して床面固定部の一方の面に直交する方向に突出する第１押圧部を備える。流路形成部は、第１押圧部が配された側で床面固定部から真っ直ぐに外方に伸びた挿入部と、床面固定部を挟んで挿入部の反対側に配され洗濯機の排水用ホースと連結可能なホース連結部と、を有する。そして、第１押圧部の突出端が、挿入部の開口端よりも床面固定部側に位置する。
【０００８】
洗濯排水流入口用の防臭装置は、ホース連結部が、床面固定部の近傍において、その軸
心を挿入部の軸心に一致させかつ床面固定部に直交して伸びていることが好ましい。
洗濯排水流入口用の防臭装置は、木ねじ等で床面に取り付ける構造では、ホース連結部が、その軸心を挿入部の軸心に一致させて床面固定部に直交して伸びるように形成されてもよい。
【０００９】
洗濯排水流入口用の防臭装置は、床面固定部におけるホース連結部が位置する側に、ホース連結部が伸びた方向に略直交する方向に貫通する固定用孔を有する連結維持部を設けることにより、洗濯機に付属する排水用ホースを結束バンド等で連結してその脱落を防止することができる。
【発明の効果】
【００１０】
本発明によると、洗面所等における洗濯排水を流出させる排水口に、施工業者に依頼することなく居住者が簡便に取り付け可能な洗濯排水流入口用の防臭装置を提供することができる。
【図面の簡単な説明】
【００１１】
【図１】図１は防臭装置の概要を示す図である。
【図２】図２は防臭装置が取り付けられた洗濯排水流入口の正面断面図である。
【図３】図３は他の防臭装置の概要を示す図である。
【図４】図４は他の防臭装置の概要を示す図である。
【図５】図５は他の防臭装置の概要を示す図である。
【図６】図６は他の防臭装置の概要を示す図である。
【図７】図７は悪臭が問題となる排水用ホースと排水金具との接続の様子を示す図である。
【発明を実施するための形態】
【００１２】
図１は防臭装置１の概要を示す図、図２は防臭装置１が取り付けられた洗濯排水流入口の正面断面図である。図１（ａ）の上半分は平面図（図１（ｂ）を上から見た図）、下半分は裏面図（図１（ｂ）を下から見た図）である。
防臭装置１は、流路形成部２および床面固定部３からなる。
流路形成部２は、全体として円筒状であり、軸方向の一方側から他方側に向けて順にホース連結部１１、移行部１２および挿入部１３が連続する。
【００１３】
ホース連結部１１は、開口から奥に向けて内径が徐々に小さくなっている。ホース連結部１１は、その開口部分の内径が、洗濯機に付属する排水用ホース７２の排出口８１（図７参照）の開口端の外径よりわずかに大きい。ホース連結部１１における移行部１２に連続する端の内径は、排水用ホース７２の排出口８１の開口端の外径よりわずかに小さい。なお、排水用ホース７２の排出口８１は、洗濯機メーカーによらず同一形状、大きさの円筒形状のものが使用されている。
【００１４】
移行部１２は、ホース連結部１１に連続する側から挿入部１３に連続する側に向けて、徐々にその内径が小さくなっている。
挿入部１３は、内径および外径のいずれも一定の円筒形状を有し、施工時（床面Ｆへの取り付け時）に排水金具７１内に挿入される部分である。挿入部１３の外径は、ホース連結部１１および移行部１２の外径よりも小さい。
【００１５】
床面固定部３は、本体２０、第１押圧部２１および第２押圧部２２からなる。
本体２０は、移行部１２の外周から径方向外方に拡がる、平面視が円形の肉厚な板状部分である。本体２０の外方端は、移行部１２等の軸心をその軸心とし挿入部１３側に突出する円筒状の第１押圧部２１に連続する。第１押圧部２１の挿入部１３側への突出の程度は、挿入部１３の（軸心方向の）長さに比べて小さい。
【００１６】
第２押圧部２２は、第１押圧部２１の内側の近傍において挿入部１３側に突出する円筒状の部分である。第２押圧部２２の突出の程度（長さ）は第１押圧部２１の突出の程度に等しい。したがって、第１押圧部２１および第２押圧部２２は、いずれも流路形成部２の軸心に直交する同一平面に属する端面２３，２４を有する。
床面固定部３は、第１押圧部２１と第２押圧部２２とを径方向につなぐ、流路形成部２の軸心に対して１２０度間隔で配されたネジ孔設置部２６，２６，２６を備える。ネジ孔
設置部２６は、その中心を軸心方向にネジ孔２５が貫通する。
【００１７】
防臭装置１は、平面視における２つのネジ孔設置部２６，２６の中間に、ホース連結部１１、移行部１２および床面固定部３の外面から外方に突出する連結維持部２７を有する。連結維持部２７は、流路形成部２の軸心に直交する方向に貫通する固定用孔２８を備える。
防臭装置１は、ニトリルゴム（ＮＢＲ）、スチレンブタジエンゴム（ＳＢＲ）、エチレンプロピレンジエンゴム（ＥＰＤＭ）、天然ゴム（ＮＲ）等のいわゆるゴム、またはシリコンゴム、ウレタンゴム等の弾性体（エラストマー）により製作されるのが好ましい。
【００１８】
また、帯電防止剤が加えられたこれらのゴム、弾性体により製作された防臭装置１は、ほこりの吸着を減少させることができる。
次に、洗濯排水流入口への防臭装置１の取り付けについて説明する。
図２を参照して、洗濯機が配置されることが多い洗面所等に設けられた洗濯排水流入口は、床面Ｆに開口する排水金具７１により形成されている。排水金具７１は、平板環状のフランジ部７４により床面Ｆに保持され、フランジ部７４から床面Ｆ内に伸びた円筒状の部分７５が排水管７３に連結されている。
【００１９】
はじめに、防臭装置１の床面固定部３における第２押圧部２２の径方向内側に、シリコン系、ポリウレタン系その他のコーキング材ＣＭが円環状に、かつ第２押圧部２２の端面２４よりも若干高く盛られる。床面固定部３は、円形肉厚の本体２０に、これの一方の表面から軸心を直交させて突出する円筒状の第２押圧部２２が組み合わされたことにより、第２押圧部２２の内側にコーキング材ＣＭを収容することを可能としている。
【００２０】
続いて、防臭装置１は、床面固定部３の第１押圧部２１および第２押圧部２２のそれぞれの端面２３，２４を床面Ｆに対向させて、挿入部１３が排水金具７１の中に挿入される。
なお、床面固定部３における第２押圧部２２の内径は、排水金具７１のフランジ部７４の外径よりも十分に大きく、挿入部１３の外径は、排水金具７１の内径よりも小さい。
【００２１】
第１押圧部２１および第２押圧部２２を床面Ｆ側に押し付け、端面２３，２４が床面Ｆに接した状態で、３つのネジ孔２５，２５，２５に木ねじ７６を挿入してこれをドライバーで床面Ｆにねじ込み固定する。この作業により、洗濯排水流入口への防臭装置１の取り付けが終了する。
上述したように、防臭装置１は、作業に熟練しない居住者であっても、ドライバー１本で容易に排水金具７１の上から床面Ｆに固定することができる。
【００２２】
防臭装置１は、第１押圧部２１および第２押圧部２２の端面２３，２４が床面Ｆに接してこれらの間に隙間を無くし、さらに床面固定部３に盛ったコーキング材ＣＭが、床面固定部３と床面Ｆとの間および第２押圧部２２と排水金具７１の開口との間を埋める。防臭装置１が床面Ｆに取り付けられた後は、洗濯機が置かれた空間Ｓ（例えば洗面所の空間）と排水管７３内とは、流路形成部２内の流路（空洞）でのみ連通する。
【００２３】
防臭装置１のホース連結部１１内に洗濯機の排水用ホース７２における排出口８１が嵌め入れられると、防臭装置１が取り付けられた空間Ｓと排水管７３内とは、排水用ホース７２内の経路を除き完全に遮断される。
なお、排水用ホース７２は、洗濯後の洗浄液およびすすぎ液をヘッド差のみで洗濯機から排出できるように、一般に洗濯機（洗濯槽）の最も下方に連結されている。一方、防臭装置１のホース連結部１１は上方に開口しているので、防臭装置１に連結された排水用ホース７２は、その排出口８１近傍では略垂直に立ち上がり、その先では下方に折れ曲がって洗濯機まで伸びる。つまり、防臭装置１に連結された排水用ホース７２は、防臭装置１近傍で高い位置を経由するので、洗濯機が１度使用された後には、必ず洗濯機と防臭装置１との間にすすぎ水による封水部分が生ずる。
【００２４】
上方に開口する流路形成部２を有する防臭装置１は、排水金具７１から直接に排水金具７１が開口する空間Ｓに悪臭が進入するのを防止するのに加えて、排水用ホース７２内に封水部分が生ずることにより、排水用ホース７２から洗濯機内を経由する空間Ｓへの悪臭の進入を防止することができる。
防臭装置１に設けられた固定用孔２８は、結束バンド８３、針金等により排水用ホース７２の排出口８１近くに設けられたフック８２と連結して、排水用ホース７２のホース連結部１１からの脱落を防止するためのものである。
【００２５】
図３は他の防臭装置１Ｂの概要を示す図である。図３（ａ）の上半分は平面図、下半分は裏面図である。
防臭装置１Ｂは、流路形成部２および床面固定部３Ｂからなる。
流路形成部２は、上述した防臭装置１における流路形成部２と同じである。
床面固定部３Ｂは、本体２０、第１押圧部２１Ｂおよび第２押圧部２２からなる。本体２０および第２押圧部２２は、防臭装置１におけるものと同一である。
【００２６】
第１押圧部２１Ｂは、流路形成部２の軸心をその軸心として円筒状に挿入部１３側に突出する。第１押圧部２１Ｂは、突出側の端部近傍において、内周面および外周面のいずれも端に近づくに伴い徐々に内径、外径が増加する。第１押圧部２１Ｂの内周面および外周面における第１押圧部２１Ｂの軸心を含む断面の形状は、いずれも軸心側に凸となる湾曲線である。第１押圧部２１Ｂは、第２押圧部２２よりも挿入部１３側に大きく突出し、その内周面および外周面の突出端側における湾曲は、軸心方向における第２押圧部２２の突出側の端面２４の位置、またはこの位置よりわずかに本体２０側を起点としている。
【００２７】
図３に示される防臭装置１Ｂにおいて説明を省略した部分は、防臭装置１における対応する部分と同一の構成を有し、図３において防臭装置１におけると同一の符合を付す。
防臭装置１Ｂの洗濯排水流入口への取り付けは、防臭装置１と同様に行われる。防臭装置１Ｂは、ネジ孔２５，２５，２５を貫通させた木ねじが床面にねじ込まれるときに、第１押圧部２１Ｂが床面に押し付けられ、第１押圧部２１Ｂは、突出端に近いほど変形し易いためにその内周面（端面）２３Ｂのいずれかの部分が床面に必ず密着する。ネジ孔２５，２５，２５が１２０度間隔で設けられていることにより木ねじのねじ込みによる内周面（端面）２３Ｂの押圧力の分布（大小）が周方向に生じても、第１押圧部２１Ｂの端面２３Ｂが湾曲していることにより、周方向に途切れることなく端面２３Ｂと床面との密着面を形成させることができる。
【００２８】
図４は他の防臭装置１Ｃの概要を示す図である。図４（ａ）の上半分は平面図、下半分は裏面図である。
防臭装置１Ｃは、流路形成部２Ｃおよび床面固定部３からなる。
床面固定部３は、防臭装置１における床面固定部３と同じである。
流路形成部２Ｃは、ホース連結部１１Ｃ、移行部１２Ｃおよび挿入部１３がこの順に連続する。
【００２９】
ホース連結部１１Ｃは、床面固定部３の第１押圧部２１等が突出する側の反対側において本体から離れて位置する。ホース連結部１１Ｃは、円筒状であってその軸心が床面固定部３における本体２０が拡がる方向（面）に対して、開口側が本体２０から遠くなるようにわずかに傾いている。ホース連結部１１Ｃは、開口から奥に向けて内径が徐々に小さくなっており、開口部分の内径が、洗濯機の排水用ホース７２の排出端の外径よりわずかに大きい。
【００３０】
移行部１２Ｃは、ホース連結部１１Ｃに連続する一端から他端に向けて「Ｌ」字状に折れ曲がった円筒状の部分である。移行部１２Ｃは、他端においてその軸心が本体２０の拡がる方向（面）に直交する。
挿入部１３は、内径が一定の円筒形状を有する。
流路形成部２Ｃは、ホース連結部１１Ｃ側の開口と挿入部１３側の開口との間に、移行部１２Ｃ内において「Ｌ」字状に曲がる内部流路が形成されている。
【００３１】
防臭装置１Ｃの洗濯排水流入口への取り付けは、防臭装置１と同様に行われる。
防臭装置１Ｃは、排水装置１，１Ｂと同様に、排水金具の開口から居住空間に臭気が進入することを防止することができる。
図５は他の防臭装置１Ｄの概要を示す図である。図５（ａ）の上半分は平面図、下半分は裏面図である。
【００３２】
防臭装置１Ｄは、流路形成部２および床面固定部３Ｄからなる。
流路形成部２は、防臭装置１における流路形成部２と同じである。
床面固定部３Ｄは、本体２０、第１押圧部２１および複数のリブ２９Ｄ，…，２９Ｄ
からなる。
本体２０および第１押圧部２１は、防臭装置１におけるものと同一である。
【００３３】
リブ２９Ｄは、肉厚の板状であり、本体２０における第１押圧部２１が突出する側において、流路形成部２と第１押圧部２１とを最短で結ぶ線上に、本体２０に直交して突出する。リブ２９Ｄは、周方向に６０度間隔で設けられ、第１押圧部２１の近傍まで伸びている。リブ２９Ｄの突出の程度は第１押圧部２１よりも小さく、これらの突出の程度の差は、取り付けが予定される排水口の排水金具７１におけるフランジ部７４の厚さよりも大きい。
【００３４】
リブ２９Ｄと第１押圧部２１との間には、本体２０から円柱状に突出するネジ孔設置部２６が設けられている。ネジ孔設置部２６の中心にはネジ孔２５が貫通している。
防臭装置１Ｄにおける上述した部分以外の構成は、防臭装置１におけるものと同じであり、図５において防臭装置１におけるものと同じ符合を付してその説明を省略する。
図６は他の防臭装置１Ｅ〜１Ｈの概要を示す図である。
【００３５】
図６（ａ）に示される防臭装置１Ｅは、第１押圧部２１Ｅおよび第２押圧部２２Ｅのそれぞれの突出する端面２３Ｅ，２４Ｅが、径方向内側よりも外側の突出の程度が大きい傾斜平面となっている。第１押圧部２１Ｅおよび第２押圧部２２Ｅの各端面２３Ｅ，２４Ｅをこのように傾斜させることにより、木ねじの締め付けによる第１押圧部２１Ｅおよび第２押圧部２２Ｅの床面への押圧力の大小に応じて端面２３Ｅ，２４Ｅの押圧面積が変化する。これにより、例えば木ねじによる締め付けが三箇所のみによることでマクロの押圧力に周方向の分布が生じても、押圧力の弱い部分では押圧面積が減少しても実質的な密着面積を確保でき、結果として端面２３Ｅ，２４Ｅと床面との密着性を高めることができる。
【００３６】
図６（ｂ）に示される防臭装置１Ｆは、床面固定部３Ｆにおける円形の本体２０の外周端から挿入部１３側に突出する、円筒状の第１押圧部２１Ｆのみを有する。第１押圧部２１Ｆは、第２押圧部２２，２２Ｅと共存する前述した第１押圧部２１，２１Ｂ，２１Ｅに比べてその厚さが大きい。第１押圧部２１Ｆの突出側の端面２３Ｆは、径方向外側の突出の程度が内側よりも大きな傾斜平面である。このように傾斜する第１押圧部２１Ｆの端面２３Ｆは、防臭装置１Ｅにおける傾斜平面である端面２３Ｅ，２４Ｅと同様の理由により、端面２３Ｅ，２４Ｅが奏すると同じ効果を奏する。
【００３７】
図６（ｃ）に示される防臭装置１Ｇは、防臭装置１Ｅにおける円筒状の第１押圧部２１Ｅの外周面にさらに断面が円弧である環状の溝３１Ｇが設けられて一層変形し易くなった第１押圧部２１Ｇを有する。第１押圧部２１Ｇにおける突出側の端面２３Ｇは、防臭装置１Ｅの第１押圧部２１Ｅと同様に、径方向内側よりも外側の突出の程度が大きな傾斜平面となっている。
【００３８】
図６（ｄ）に示される防臭装置１Ｈは、防臭装置１における第１押圧部２１の外周面に断面が「Ｖ」字状の環状の溝３１Ｈが設けられた第１押圧部２１Ｈ、および防臭装置１における第２押圧部２２の内周面に断面が「Ｖ」字状の環状の溝３２Ｈが設けられた第２押圧部２２Ｈを有する点でのみ、防臭装置１と異なる。
溝３１Ｈ，３２Ｈは、防臭装置１Ｈを木ねじにより床面に取り付けるときに、それぞれが第１押圧部２１Ｈ、第２押圧部２２Ｈの押圧による変形を容易にし、突出する端面２３，２４と床面との密着を促進する。
【００３９】
防臭装置１Ｈにおいて、溝３１Ｈ，３２Ｈの断面形状を、応力集中が生じ易い「Ｖ」字状を避けて円弧状としてもよい。
上述の実施形態において、ネジ孔設置部２６の数を任意に変更できる。
防臭装置１，１Ｂ〜１Ｈにおける床面固定部３，３Ｂ，３Ｄ，３Ｆ、第１押圧部２１，２１Ｂ，２１Ｅ〜２１Ｈおよび第２押圧部２２，２２Ｅ，２２Ｈの平面視形状は、上述したように円形が好ましいが、少なくとも排水金具７１のフランジ部７４を、第２押圧部の内側、または第２押圧部を有しない場合には第１押圧部の内側に収容可能であれば、これらの平面視形状を他の形状、例えば多角形、楕円とすることができる。
【００４０】
また、第１押圧部２１，２１Ｂ，２１Ｅ〜２１Ｈおよび第２押圧部２２，２２Ｅ，２２Ｈを筒状と説明したが、これらは防臭装置１，１Ｂ〜１Ｈを床面に固定したときに本体２０の挿入部１３側とホース連結部１１，１１Ｃとを遮断することができる、本体２０の外端の周囲を囲むものであれば足り、他の形状を採用することができる。
防臭装置１，１Ｂ〜１Ｈは、洗濯排水流入口への防臭装置１の取り付けが木ねじ７６により行われるが、防臭装置１，１Ｃ，１Ｄでは、第１押圧部２１の端面２３、および第２押圧部２３を有するものはその端面２４に接着剤を塗布して床面に固定してもよい。
【００４１】
防臭装置１，１Ｂ〜１Ｈのそれぞれにおいて独自の形態を有する部分については、他の防臭装置１，１Ｂ〜１Ｈの対応する部分に採用することができる。例えば、防臭装置１Ｄにおけるリブ２９Ｄを防臭装置１に採用することができ、防臭装置１Ｂにおける第１押圧部２１Ｂの突出端（端面２３Ｂ等）の形状を防臭装置１Ｄの第１押圧部２１に採用することができる。
【００４２】
その他、防臭装置１，１Ｂ〜１Ｈ、および防臭装置１，１Ｂ〜１Ｈの各構成または全体の構造、形状、寸法、個数、材質などは、本発明の趣旨に沿って適宜変更することができる。
【産業上の利用可能性】
【００４３】
本発明は、洗濯機の排水流入口からその下流側の悪臭が洗面所等に進入することを防止するために利用することができる。
【符号の説明】
【００４４】
１，１Ｂ〜１Ｈ  防臭装置
２，２Ｃ  流路形成部
３，３Ｂ，３Ｄ，３Ｆ  床面固定部
１１，１１Ｃ  ホース連結部
１３  挿入部
２１，２１Ｂ，２１Ｅ〜２１Ｈ  第１押圧部
２３，２３Ｂ，２３Ｅ，２３Ｆ，２３Ｇ  （第１押圧部の）端面（突出端）
２７  連結維持部
２８  固定用孔
【図１】
2014077277.tif 000003
【図３】
2014077277.tif 000004
【図４】
2014077277.tif 000005
【図５】
2014077277.tif 000006
【図６】
2014077277.tif 000007
【図２】
2014077277.tif 000008
【図７】
2014077277.tif 000009